(57)【要約】容易かつ低コストで製造可能であり、携帯性に優れた靴下類装着補助器具を提供することを目的とする。可撓性を有する弾性部材からなる平面状の靴下装着部と、前記靴下装着部の中央に、コの字状の切欠によって形成される足裏ガイド部と、前記靴下装着部に前記足裏ガイド部を介して形成される相対面の各端部と足裏ガイド部の２つの頂部とを各々並行して連結する１対の紐帯部と、を有し、前記靴下装着部は、前記相対面の各端辺部を相互に対向方向に曲成させると、前記足裏ガイド部が前記平面状を維持し、足裏ガイド部が形成された箇所が側面開口された中空の半割無底筒状を形成可能とする靴下類装着補助器具を提供する。
2015182105.tif 000002
【特許請求の範囲】
【請求項１】
可撓性を有する弾性部材からなる平面状の靴下装着部と、前記靴下装着部の中央に、コの字状の切欠によって形成される足裏ガイド部と、前記靴下装着部に前記足裏ガイド部を介して形成される相対面の各端部と足裏ガイド部の２つの頂部とを各々並行して連結する１対の紐帯部と、を有し、
前記靴下装着部は、前記相対面の各端辺部を相互に対向方向に曲成させると、前記足裏ガイド部が前記平面状を維持し、足裏ガイド部が形成された箇所が側面開口された中空の半割無底筒状を形成可能とすることを特徴とする靴下類装着補助器具。
【請求項２】
前記靴下装着部を矩形状に形成したことを特徴とする請求項１記載の靴下類装着補助具。
【請求項３】
前記矩形状の靴下装着部の一辺と、前記足裏ガイド部の２つの頂部をつなぐ上辺部とが対向して平行になるように足裏ガイド部を形成し、前記靴下装着部の一辺を上辺とし、当該上辺の対向辺を底辺とし、前記紐帯部は、当該底辺の両端部に連結されたことを特徴とする請求項２記載の靴下類装着補助具。
【請求項４】
前記靴下装着部の上辺を所定の曲率で凸方向に向かって弧状に形成したことを特徴とする請求項３記載の靴下類装着補助具。
【請求項５】
前記足裏ガイド部の両頂部に舌片を設け、前記紐帯部は、当該舌片に連結されていることを特徴とする請求項１から請求項４までのいずれか１項に記載の靴下類装着補助具。
【請求項６】
前記底辺の両端部から長手方向に突起片を設け、両突起片に、噛み合わせることにより前記半割無底筒状を維持するための係止切り込み部を形成したことを特徴とする請求項３から請求項５までのいずれか１項に記載の靴下類装着補助具。
【請求項７】
２つの前記靴下類装着補助具を前記底辺で直線状に一体連接する連接部を有し、２つの靴下装着部の相互に臨む対向辺間を前記連接部まで凹状に抉ったことを特徴とする請求項３から請求項７までのいずれか１項に記載の靴下類装着補助具。
【請求項８】
前記連接部を有する靴下類装着補助具であって、前記係止切り込み部に代えて、前記半割無底筒状に形成された各靴下装着部の底辺に嵌合する溝部を有する嵌合部材を備えたことを特徴とする請求項７記載の靴下類装着補助具。
【請求項９】
前記連接部を有する靴下類装着補助具であって、前記係止切り込み部に代えて、前記各靴下装着部の底辺両端部を挟持する挟持部を有し、各挟持部を直線状の棒状体を介して横架する横架部材を備えたことを特徴とする請求項７記載の靴下類装着補助具。
【請求項１０】
前記横架部材が、棒状体に代えて、紐体で横架されていることを特徴とする請求項９記載の靴下類装着補助具。
【発明の詳細な説明】
【技術分野】
【０００１】
本発明は、靴下類の装着を支援する靴下類装着補助具であって、特に、ストッキング、パンティストッキング等、長尺の靴下類の装着補助具に関するものである。
【背景技術】
【０００２】
従来、この種の器具としては、基材として金属製の線材、パイプ、またはプラスチック製の板材等を使用し、靴下類を裏返して器具に装着するものが存在した。【０００３】
たとえば、平面視でほぼ円筒状の本体部の上側に前側が開いた半円筒状の靴下類サポート部が一体に形成され、前記本体部の下側には少なくとも前側が開いた基台部が一体に形成され、本体部と靴下類サポート部と基台部がそのほぼ前後方向中心線位置を中心として左右２つのパーツに分解及び組み立て可能に構成された靴下類着用補助器具が提案されていた（例えば、特許文献１参照。）。
また、ベースと、少なくとも１つの靴下類サポートと少なくとも１つのハンドルサポートから構成され、靴下類サポートは、ベースにより担持されるサポートエレメントを有し、ハンドルサポートは、靴下類サポートに隣接してベースから外方へ延びるハンドルを有する靴下類着用補助器具が提案されていた（例えば、特許文献２参照。）。【０００４】
さらに、細長いロッドとその一端において支持される実質的に半円筒形胴体とを具備し、該胴体はそれ自体の軸線に対して垂直な且つ該ロッドの軸線に対して垂直な軸線のまわりに搖動させることができるソックス等の着用補助具が提案されていた（例えば、特許文献３参照。）。【０００５】
また、フレーム型の基部、直立ステム、および開口部を備え、直立ステムは、基部の両側に接合されており、上方に向かって形成されており、水平方向に握り部が設置されており、開口部は、二つの直立ステムの間に設けられており、上方に向かって湾曲している二つの支えフレーム、および、支えフレームの上方に形成されている靴下装着部を有する靴下装着補助装置が提案されていた（例えば、特許文献４参照。）。
【先行技術文献】
【特許文献】
【０００６】
【特許文献１】特開２００９−２６１７４５号公報
【特許文献２】特開２００４−２３０１７０号公報
【特許文献３】特開昭５５−８７９２号公報
【特許文献４】実案登録第３１８２８５７号公報
【発明の概要】
【発明が解決しようとする課題】
【０００７】
前記特許文献１乃至４は、いずれも、金属製の線材又は管材、あるいはプラスチック製の板材を基材としており、特許文献１のように、組立可能な構成にすることにより、携帯性を特徴とするものもあるものの、少なくとも、手持ちで携帯するには嵩、重量ともに、実用的な構成とは言えないという問題があった。【０００８】
特に、ストッキングよりも使用頻度が高いパンティストッキングの着用補助器具については、たとえば、特許文献２で変形例として開示されているものの、嵩、重量ともに略倍加し、前記携帯性の課題は解決されていなかった。【０００９】
さらに、特許文献１、２及び４では、装着時に、足先を下腿部と同軸上に回動させる必要があり、特に足首の回動が不自由な利用者には負荷がかかるという課題があった。かかる負荷を回避するためには、足部と下腿部の装着角度の違いに対応して、装着器具が足部と下腿部のラインにスムーズに追随する必要がある。このような課題に対して、特許文献３のような構成では、器具が大型化し、かつ、部品点数も増加するため、前記携帯性の課題を解決できないうえ、製造コストも高騰するという問題があった。【００１０】
本発明は、容易かつ低コストで製造可能であり、携帯性に優れた靴下類装着補助器具を提供することを目的とする。また、パンティストッキングのように、脚部個々に装着するものではなく、両脚部一時に装着する靴下類であっても、同様の目的を達成できる補助器具を提供することを目的とする。
【課題を解決するための手段】
【００１１】
前記問題点に鑑み、本発明にかかる靴下類装着補助具は、可撓性を有する弾性部材からなる平面状の靴下装着部と、前記靴下装着部の中央に、コの字状の切欠によって形成される足裏ガイド部と、前記靴下装着部に前記足裏ガイド部を介して形成される相対面の各端部と足裏ガイド部の２つの頂部とを各々並行して連結する１対の紐帯部と、を有し、
前記靴下装着部は、前記相対面の各端辺部を相互に対向方向に曲成させると、前記足裏ガイド部が前記平面状を維持し、足裏ガイド部が形成された箇所が側面開口された中空の半割無底筒状を形成可能とすることを最も主要な特徴とする。この構成によれば、靴下装着時以外は、器具全体が平面状となる。【００１２】
前記靴下装着部は、前記曲成させて半割無底筒状に形成できるものであれば、展開時の形状は問わないが、矩形状に形成することが好ましい。前記半割無底筒状を形成しやすく、また、紐帯部で牽引するときに、器具全体に均等に力が分散し易いためである。さらに、均等な牽引力を及ぼすためには、前記靴下装着部を矩形状とした場合、靴下装着部の一辺と、前記足裏ガイド部の２つの頂部をつなぐ上辺部とが対向して平行になるように足裏ガイド部を形成し、前記靴下装着部の一辺を上辺とし、当該上辺の対向辺を底辺とし、前記紐帯部は、当該底辺の両端部に連結するようにすればよい。【００１３】
前記靴下装着部の上辺を所定の曲率で凸方向に向かって弧状に形成してもよい。この構成によれば、靴下類を装着する際に、引っかかりを低減させ、スムーズに装着することができる。【００１４】
また、前記足裏ガイド部の両頂部に舌片を設け、前記紐帯部は、当該舌片に連結するようにしてもよい。装着しない方の足で当該舌片を押さえることにより、靴下装着部と足裏ガイド部とが離間し、スムーズな装着を促進する。【００１５】
前記底辺の両端部から長手方向に突起片を設け、両突起片に、噛み合わせることにより前記半割無底筒状を維持するための係止切り込み部を形成してもよい。この構成によれば、靴下類を裏返して靴下装着部に装着する場合に、靴下装着部を半割無底筒状に維持するために、一方の手で押さえる必要がなくなり、両手で装着が可能になり、装着を容易することができる。【００１６】
なお、パンティストッキングのように、両脚部一時に装着する靴下類については、２つの前記靴下類装着補助具を前記底辺で直線状に一体連接する連接部を有し、２つの靴下装着部の相互に臨む対向辺間を前記連接部まで凹状に抉った形状にしたものであればよい。【００１７】
前記パンティストッキング用のものについては、前記半割無底筒状を維持するために、前記係止切り込み部に代えて、前記半割無底筒状に形成された各靴下装着部の底辺に嵌合する溝部材を備えたもの、前記各靴下装着部の底辺両端部を挟持する挟持部を有し、各挟持部を直線状の棒状体を介して横架する横架部材を備えたもの、さらに、前記横架部材を、棒状体に代えて紐体で横架したもの、などであってもよい。
【発明の効果】
【００１８】
本発明によれば、不使用時には平面状にすることができるので携帯、収納が容易になるという効果を奏する。【００１９】
また、部品点数が少なく、加工も容易であるため、低コストで生産が可能になるという効果を奏する。【００２０】
平面状に形成することができるため、印刷デザインの自由度が向上し、購買欲を高めるデザインを施すことができるとともに、広告等を印刷することにより販促にも貢献するという効果を奏する。【００２１】
素材が、可撓性を有する弾性部材であるため、靴下類のサイズを問わす適用可能であり、経済的である。【００２２】
なお、２つ連結することで、ストッキングよりも需要の高いパンティストキングの着用補助器具としても活用できるので、マーケット範囲を拡大できるという効果も奏する。
【図面の簡単な説明】
【００２３】
【図１】図１は、本発明にかかる靴下類装着補助具の全体斜視図である。
【図２】図２は、靴下装着部の突起片に係止切り込み部を設けた斜視図であり、（ａ）は展開時の図、（ｂ）は係止時の図を示したものである。
【図３】図３は、本発明にかかる靴下類装着補助具の作用を示した図であり、（ａ）は靴下類を靴下類装着部に装着した状態を示す図、（ｂ）は足部に靴下類を装着した状態を示す図、（ｃ）は下腿部に靴下部を装着した図を示したものである。
【図４】図４（ａ）は、２つの靴下類装着補助具を一体連接したパンティストッキング用の靴下類装着補助具の正面図であり、（ｂ）は、（ａ）の靴下類装着補助具に、図２で説明した係止切込み部を設けたものの正面図である。
【図５】図５は、パンティストッキング用の靴下類装着部を筒状に維持する保持部材であり、（ａ）は底辺を嵌合する溝部材、（ｂ）は横架部材、（ｃ）は（ｂ）の横架部材の棒状体を紐体で代用させたものを示した図である。
【発明を実施するための形態】
【００２４】
図１を参照して、１は、本発明にかかる靴下類装着補助器具である。靴下類装着補助器具１の本体部分となる靴下装着部１１は、平坦であって、可撓性を有する弾性部材によって形成される。使用しないときに、器具全体を平面状にしておくことができるため、携帯性、収納性に優れている。靴下装着部１１の素材は、常態において平面状をなし、かつ、使用時に曲成可能な可撓性を有する弾性部材であれば特に限定しないが、製造コスト、加工容易性、軽量化等の観点から、ポリプロピレン等の樹脂を使用するのが好適である。
【００２５】
靴下装着部１１の形状は、後述する通り、曲成させて半割無底筒状に形成できるものであれば、常態時の形状は問わないが、前記半割無底筒状の形成が比較的無理なくできるため、矩形状であることが好ましい。本実施の形態では、以下、矩形状の靴下装着部１１によって説明する。
【００２６】
靴下装着部１１の上辺１１ａは、凸方向に一定の曲率で弧状に形成し、底辺１１ｂは直線状になっている。上辺１１ａは、前記半割無底筒状に形成した場合の上端周縁を形成する。
【００２７】
靴下装着部１１の略中央は、コの字状の切欠き部１４によって足裏ガイド部１５が形成される。足裏ガイド部１５は、切欠き部１４によって靴下装着部１１から切り離されているが、コの字状の開放端側は、切欠きされていないため、靴下装着部１１と面一で一体になっている。なお、切欠き部１４と足裏ガイド部１５との間を一定幅で切り取って、所定間隔で離間させても良い。
【００２８】
足裏ガイド部１５を介して切欠き部１４の短手方向左右に相体面１２、１３が形成される。相対面１２、１３は、前記半割無底筒状に形成したときの側面部を形成する。
【００２９】
底辺１１ｂの両端部１６と、足裏ガイド部１５のコの字状閉鎖端の両頂部１７は開口され、靴下装着時に、靴下装着部１１を牽引する紐帯部１８の両端が各開口に挿通されている。前記開口に挿通された紐帯部１８の両端は、玉結び等、開口よりも大きな径で結ばれ、開口から抜け落ちないように係止されている。紐帯部１８は、１対の紐帯から構成され、一方の紐帯の両端は、相体面１２側の底辺１１ｂの端部１６と足裏ガイド部１５の頂部１７とに各々係止され、他方の紐帯の両端は、相体面１３側の底辺１１ｂの端部１６と足裏ガイド部１５の頂部１７とに各々係止されている。紐帯部１８を構成する各紐帯は、前記係止によって、いずれも長手方向で概ね二分する位置で折り返され、靴下装着部１１を介してリング状をなし、前記折返し点から端部１６までが下腿部牽引部１８ｂ、前記折り返し点から頂部１７までが足部牽引部１８ａになっている。
【００３０】
なお、足裏ガイド部１５の頂部１７は、舌片１５ａ、１５ｂを成すように形成してもよい。
【００３１】
図２は、靴下類装着補助器具の変形例を示したものである。図１と同じ構成のものは、同一の番号を付し、詳細な説明は割愛する。
【００３２】
靴下装着部１１は、相体面１２と１３とを対向方向に曲成させ、半割無底筒状を形成するが、素材が弾性体であるため、前記半割無底筒状を維持するためには、少なくとも、片手で当該筒状体を保持しながら靴下類を装着しなければならない。
【００３３】
本実施の形態では、前記半割無底筒状を維持させるために、底辺１１ｂの両端部１６から底辺１１ｂの長手方向に各々突起部１９を設け、一方の突起部１９（本実施の形態では、相対面１２側の突起部１９）には、底辺１１ｂから上辺１１ａ方向にスリット１９ａを形成し、他方の突起部１９（本実施の形態では、相対面１３側の突起部１９）には、スリット１９ａに相対する位置で、逆方向、すなわち、突起部１９の上辺から底辺１１ｂ方向にスリット１９ｂを形成する。靴下装着部１１を曲成させ、前記半割無底筒状を形成する際に、前記２つの突起部１９を重合させ、スリット１９ａとスリット１９ｂとを咬合させることにより弾性力による戻り抵抗を抑え、係止することができるため、形状の維持が可能となる。図２（ａ）は、靴下装着部１１の常態時、すなわち、展開時を示し、図２（ｂ）は、スリット１９ａ、１９ｂを咬合させ、係止している状態を示したものである。
【００３４】
以下、図３により、本発明にかかる靴下装着補助具の使用方法（作用）を説明する。本実施の形態では、大腿部まで装着するような靴下類、たとえば、ストッキングＳを例に説明する。
【００３５】
図３（ａ）で示すとおり、靴下装着部１１を曲成させて、半割無底筒状を形成する。すなわち、相対面１２，１３の端辺部を対向方向に離間させて曲成することにより、半割で、かつ、無底の円筒形が形成される。本実施の形態では、図２で説明した突起部１９を設けた形態を用いているため、スリット１９ａ、ｂによってこの円筒形が維持される。
【００３６】
このとき、上辺１１ａは、前記半割無底筒状の円筒形の上端周縁部を形成するが、前記した通り、凸方向に一定の曲率で弧状に形成しているため、前記上端周縁は、側面視で前記弧状の頂部から前記端辺部方向に向かった下り傾斜になっている。
【００３７】
ストッキングＳを裏返して開放端（足の挿入部）近傍に圧縮した形で前記半割無底筒状の上端周縁から装着し、靴下装着部１１全体を被覆するように底辺１１ｂ方向に手繰り寄せる。ストッキングＳの装着時、上辺１１ａが、前記の通り下り傾斜になっているため、装着しやすくなっているとともに、引っ掛かりを低減し、装着時にストッキングＳが損傷しないように配慮されている。
【００３８】
ところで、足裏ガイド部１５は、前記半割無底筒状の円筒形を形成した場合、切欠き部１４によって、コの字状の開放端側を除き、切離された状態になっているため、前記曲成の影響を受けず、略平坦な状態を維持している。したがって、前記円筒形を形成すると足裏ガイド部１５は、前記コの字状の開放端から、頂部１７によって形成されている閉鎖端に向かって、前記円筒形から離れる方向に傾斜する。ストッキングＳは、かかる状態の足裏ガイド部１５を回避して装着されるため、前記靴下装着部１１と足裏ガイド部１５との間に空間が形成される。
【００３９】
ストッキングＳは、底辺１１ｂ近傍に手繰り寄せるため、上辺１１ａが形成する上端周縁で略張着した状態で上面を形成する。ただし、若干のたるみを残すことで、ストッキングＳのリンキング（つま先部分）は、前記円筒形内部に向かって窪んだ挿入部Ｓｉを形成する。
【００４０】
図３（ａ）の状態で、ストッキングＳの挿入部Ｓｉから足部Ｆのつま先を挿入する。このとき、図３（ｂ）で示した通り、前記円筒形に形成された靴下装着部１１は、挿入部Ｓｉと足部Ｆのつま先とが対向し、かつ、挿入時に足裏ガイド部１５が足部Ｆの足裏に当たるように倒した状態にする。なお、足部Ｆの挿入をスムーズに行うために、ストッキングＳを装着しない方の足の親指等で、舌片１５ａ又は１５ｂを押さえて靴下装着部１１を固定してもよい。たとえば、ストッキングＳを装着するのが右足の場合は、左足の親指で舌片１５ｂを押さえ、ストッキングＳを装着するのが左足の場合は、右足の親指で舌片１５ａを押さえればよい。
【００４１】
足部Ｆを挿入部Ｓｉから挿入し、紐帯部１８を下腿部Ｌ方向に引き寄せると足部Ｆの足裏を足裏ガイド部１５が摺動しつつストッキングＳを装着する。足部Ｆの範囲でのストッキングＳの装着は、紐帯部１８の足裏ガイド部１５の頂部１７に結び付けられている足部牽引部１８ａ側を矢印方向Ｄ１に引き寄せることで、主に足裏ガイド部１５が強く引き寄せられるため、足部Ｆの挿入方向に一致した方向に力がかかり、ストッキングＳのスムーズな挿入が可能になる。
【００４２】
足裏ガイド部１５のコの字状開放端近傍、すなわち、靴下装着部１１と面一で一体となっている部分に足部Ｆの踵が到達すると、ストッキングＳの装着方向は、下腿部Ｌの方向、すなわち、前記倒した状態から下腿部Ｌの傾斜方向に合わせて靴下装着部１１を立ち上げなければならない。そこで、図３（ｃ）で示す通り、紐帯部１８の足部牽引部１８ａ側と下腿部牽引部１８ｂ側の双方を略均等な力で矢印方向Ｄ１、Ｄ２に引き寄せるようにすればよい。なお、紐帯部１８は、足部牽引部１８ａ側と下腿部牽引部１８ｂ側とが区別できるように、異なる色で塗り分ける等、何等かの目印を施しても良い。Ｄ１、Ｄ２方向への引き寄せを大腿部まで行うと、ストッキングＳの開放端に到達し、ストッキングＳが脚部に装着されるとともに、靴下類装着補助器具１は、脚部から離脱する。
【００４３】
本発明にかかる靴下類装着補助器具１は、前記引き寄せる方向が異なる足部Ｆと下腿部Ｌにスムーズに追随する構成になっているため、足、脚部を器具に合わせて動かさなくても、容易にストッキングＳを装着することができる。したがって、特に、高齢者や障害者のように、足、脚部を任意に動かすことが困難な利用者に対する利便性が高い。
【００４４】
図４は、パンティストッキングのように、パンツ型の靴下類装着用の器具である。図４（ａ）は、図１の靴下類補助器具１を２つ連接したものであり、図４（ｂ）は、図２の靴下類補助器具１を２つ連接したものである。なお、説明の便宜上、紐帯部は、省略している。
【００４５】
靴下類装着補助器具１とパンツ型靴下類装着補助器具１００との各部対応関係は、靴下装着部１１が靴下装着部１０１に対応し、上辺１１ａ、底辺１１ｂが各々上辺１１ａ、底辺１１ｂに対応し、相対面１２、１３が、相対面１０２、１０３に対応する。また、切欠き部１４は、切欠き部１０４に対応し、            足裏ガイド部１５は、足裏ガイド部１０５に対応し、頂部１７は、頂部１０７が対応する。端部１６は、端部１０６が対応し、突起部１９は突起部１０９が対応し、スリット１９ａ、ｂは、スリット１０９ａ、ｂが対応する。各々、対応関係にあるものは、図１、図２と同じ機能を備えており、詳細な説明は割愛する。
【００４６】
パンツ型靴下類装着補助器具１００は、連接部１２０によって連接されている。連接部１２０は、２つの靴下装着部１０１の底辺１０１ｂの長手方向で直線状に連接し、２つの相対面１０３が臨む対向辺が一定間隔離間するように、凹状に抉った離間部１２１が形成されている。離間部１２１を形成することにより、股間に一致した空間を確保することができ、パンティストッキング等のスムーズな装着を可能とする。
【００４７】
なお、両脚に装着するパンティストッキングは、前記引き寄せを同時に行うため、紐帯部の端部側の接続は、２つの靴下装着部１０１の外側の端部１０６のみで充足する。よって、紐帯部を結び付ける開口は、端部１０６の２カ所である。したがって、紐帯部は、足裏ガイド部１０５の頂部１０７で二股に分かれていればよい。
【００４８】
図４（ｂ）では、前記半割無底筒状を維持するために、スリット１０９ａ、ｂを設けているが、以下、図５により、スリット１０９ａ、ｂの代替手段として、外付けの部材を使った形態を説明する。
【００４９】
図５（ａ）は、前記半割無底筒状に形成したときの底辺１０１ｂの形状に合わせた嵌合部材３を示したものである。嵌合部材３は、枠体３１から成り、枠体３１は、短手方向断面でＵ字状の溝部３２を形成する。溝部３２に、半割無底筒状に形成された靴下装着部１０１を嵌合することにより、前記円筒形を維持することができる。なお、本実施の形態では、枠体３１によって溝部３２を形成したが、枠体３１と同程度の厚みを有する板状体に前記溝部３２相当の溝を削孔したものでもよい（図示せず）。
【００５０】
図５（ｂ）は、前記半割無底筒状に形成したときの離間状態にある底辺１０１ｂの両端部１０６を横架する横架部材４を示したものである。横架部材４は、直線状の棒状体４１と、棒状体４１に配設され、棒状体４１に対して垂直方向に起立させた挟持部４２、４３、４４，４５から構成される。挟持部４２と４３は、前記半割無底筒状の形成時における各靴下装着部１０１の外側の端部１０６に対応する位置に配設され、挟持部４４と４５は、内側の端部１０６に対応する位置に配設される。なお、本実施の形態では、横架部材４は、挟持部４２乃至４５を棒状体４１上に起立させて形成したが、挟持部４２乃至４５と同程度の厚みを有する棒状体に前記挟持部４２乃至４５相当の切込みを入れたものであってもよい（図示せず）。
【００５１】
図５（ｃ）は、図５（ｂ）の棒状体４１に代えて、紐体５１、５２で横架するものを示したものである。紐体５１、５２の長さは、前記半割無底筒状に形成したときの離間状態にある底辺１０１ｂの両端部１０６間の距離と同じ長さにすればよい。かかる長さによって、両端部１０６間を張架することが可能となり、図５（ｂ）の横架部材４と同等の効果が得られる。紐体５１、５２の先端に挟持部５３，５４、５５が接続されている。内側の端部１０６については挟持部５５単体で挟持する。なお、本実施の形態では、挟持部５３乃至５５は、先端に向かって狭窄させた弾性体（クリップ状のもの）を示したが、付勢力を有するバネを備えた洗濯バサミのようなものであってもよい（図示せず）。
【００５２】
外付け部材によって、全体の部品点数は増加するが、紐帯５１、５２のような形態にすれば、未使用時はコンパクトに収納でき携帯時の利便性はよい。
【符号の説明】
【００５３】
１              靴下類装着補助器具
１１            靴下装着部
１２、１３      相対面
１４            切欠き部
１５            足裏ガイド部
１５ａ、１５ｂ  舌片
１６            端部
１７            頂部
１８            紐帯部
１９            突起部
【図１】
2015182105.tif 000003
【図２】
2015182105.tif 000004
【図３】
2015182105.tif 000005
【図４】
2015182105.tif 000006
【図５】
2015182105.tif 000007
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
可撓性を有する弾性部材からなる平面状の靴下装着部と、前記靴下装着部の中央に、コの字状の切欠によって形成される足裏ガイド部と、前記靴下装着部に前記足裏ガイド部を介して形成される相対面の各端部と足裏ガイド部の２つの頂部とを各々並行して連結する１対の紐帯部と、を有し、
前記靴下装着部は、前記相対面の各端辺部を相互に対向方向に曲成させると、前記足裏ガイド部が前記平面状を維持し、足裏ガイド部が形成された箇所が側面開口された中空の半割無底筒状を形成可能とすることを特徴とする靴下類装着補助器具。
【請求項２】
前記靴下装着部を矩形状に形成したことを特徴とする請求項１記載の靴下類装着補助具。
【請求項３】
前記矩形状の靴下装着部の一辺と、前記足裏ガイド部の２つの頂部をつなぐ上辺部とが対向して平行になるように足裏ガイド部を形成し、前記靴下装着部の一辺を上辺とし、当該上辺の対向辺を底辺とし、前記紐帯部は、当該底辺の両端部に連結されたことを特徴とする請求項２記載の靴下類装着補助具。
【請求項４】
前記靴下装着部の上辺を所定の曲率で凸方向に向かって弧状に形成したことを特徴とする請求項３記載の靴下類装着補助具。
【請求項５】
前記足裏ガイド部の両頂部に舌片を設け、前記紐帯部は、当該舌片に連結されていることを特徴とする請求項３又は請求項４に記載の靴下類装着補助具。
【請求項６】
前記底辺の両端部から長手方向に突起片を設け、両突起片に、噛み合わせることにより前記半割無底筒状を維持するための係止切り込み部を形成したことを特徴とする請求項３から請求項５までのいずれか１項に記載の靴下類装着補助具。
【請求項７】
２つの前記靴下類装着補助具を前記底辺で直線状に一体連接する連接部を有し、２つの靴下装着部の相互に臨む対向辺間を前記連接部まで凹状に抉ったことを特徴とする請求項３から請求項６までのいずれか１項に記載の靴下類装着補助具。
【請求項８】
前記連接部を有する靴下類装着補助具であって、請求項６記載の係止切り込み部に代えて、前記半割無底筒状に形成された各靴下装着部の底辺に嵌合する溝部を有する嵌合部材を備えたことを特徴とする請求項７記載の靴下類装着補助具。
【請求項９】
前記連接部を有する靴下類装着補助具であって、請求項６記載の係止切り込み部に代えて、前記各靴下装着部の底辺両端部を挟持する挟持部を有し、各挟持部を直線状の棒状体を介して横架する横架部材を備えたことを特徴とする請求項７記載の靴下類装着補助具。
【請求項１０】
前記横架部材が、棒状体に代えて、紐体で横架されていることを特徴とする請求項９記載の靴下類装着補助具。
【国際調査報告】
2015182105.tif 000008
2015182105.tif 000009
2015182105.tif 000010
2015182105.tif 000011